(57)【要約】【課題】知らぬ間に重要な同封物を捨ててしまうことがなく、作業性も良好な配送伝票を提供する。【解決手段】配送伝票１０は、直送用一体化伝票であって、配達票１１ａ、貼付票１１ｂ、開封部１１ｃ及び払込票１１ｄを有する印字用基材１１と、印字用基材１１の裏面に剥離可能に貼り合わされた透明なフィルム状基材１２と、フィルム状基材１２の裏面に、糊ａによって周縁部の全部が貼り合わされ、タック基材１５、粘着剤層１６及び剥離紙１７が順に積層されたタック紙からなる貼付部１４と、貼付部１４との厚みを調整する厚み調整用シート１８と、フィルム状基材１２と貼付部１４との間に形成された袋形状のポケット部１９などとを備える。【選択図】図１
2006103164.tif 000002
【特許請求の範囲】
【請求項１】
印字用基材と、
前記印字用基材の裏面に、略全面が剥離可能に貼り合わされた透明又は半透明のフィルム状基材と、
前記フィルム状基材の裏面の少なくとも一部であって、周縁部の一部又は全部が貼り合わされ、配送物に貼付するための粘着剤層を有する貼付部と、
前記フィルム状基材と前記貼付部との間に形成された袋形状のポケット部と、
を備える配送伝票。
【請求項２】
請求項１に記載の配送伝票において、
前記フィルム状基材の裏面の少なくとも一部に貼り合わされ、前記貼付部との厚みを調整する厚み調整用シートを備えること、
を特徴とする配送伝票。
【請求項３】
請求項１又は請求項２に記載の配送伝票において、
前記フィルム状基材は、合成樹脂フィルム、耐水シート、撥水シート、耐水耐油シートのうち、少なくとも１つを含むこと、
を特徴とする配送伝票。
【請求項４】
請求項１から請求項３までのいずれか１項に記載の配送伝票において、
前記貼付部の非周縁部を貫通する切り込みを備え、その切り込みは、前記ポケット部の投入口となること、
を特徴とする配送伝票。
【請求項５】
請求項４に記載の配送伝票において、
前記切り込みは、その両端が円形状であること、
を特徴とする配送伝票。
【請求項６】
請求項１から請求項５までのいずれか１項に記載の配送伝票において、
前記印字用基材は、前記ポケット部に挿入する挿入片を備えること、
を特徴とする配送伝票。
【請求項７】
請求項１から請求項６までのいずれか１項に記載の配送伝票において、
前記フィルム状基材は、所定の領域を囲むカット線を備え、そのカット線上の前記印字用基材を剥がすと、前記所定の領域が共に剥がれて、前記ポケット部の取出口が形成されること、
を特徴とする配送伝票。
【請求項８】
請求項１から請求項７までのいずれか１項に記載の配送伝票において、
前記貼付部は、タック基材、粘着剤層及び剥離シートが順に積層されたタックシートであること、
を特徴とする配送伝票。
【発明の詳細な説明】
【技術分野】
【０００１】
本発明は、通信販売などに利用するのに好適な配送伝票に関するものである。
【背景技術】
【０００２】
現在、通信販売では、ミネラルウォーターや家電製品のように、箱のまま送付できる商品は、一旦開梱して所定の伝票（納入明細書、保証書、払込票など）を箱の内部に入れ、再梱包の上、配送伝票を箱に貼って送付する場合が多い。
こういった再梱包は、手間がかかるだけでなく、消費者にも、中古品や展示品ではないか、といった疑念をもたれることから、望ましい方法ではない。
【０００３】
そこで、様々な方法が提案、利用されている（例えば、特許文献１）。
多くの場合は、タック加工されたビニル袋を用意しておき、この中に印字した納入明細書を投入し、ビニル袋の上から配送伝票（１ｐｔ方式の配送伝票を含む）を貼り込む、という方法が採られている。
この場合、作業が煩雑になりがちであり、また、納入明細書を投入したビニル袋と配送伝票とのマッチングミスも散見されていた。
【特許文献１】特開２００３−０４８３８５号公報
【発明の開示】
【発明が解決しようとする課題】
【０００４】
この問題を解決するために、本件発明者は、従来の『１ｐｔ方式の配送伝票』のタック紙部分を所定形状で貼り込み、配送伝票と荷物との間にポケット部を形成する、という方法を提案し、すでに出願している。
【０００５】
この方法は、安価で対応でき、プリンタでの印字適性に影響を与えにくい、という反面、配送伝票を荷物に貼り込んだ後でしか、納入明細書を挿入できない点や、配送伝票と荷物との接着面積が少ない（周縁部に限られる）ことから、荷扱いや運用によっては、配送伝票自体が脱落してしまう、という可能性もあった。
【０００６】
また、タック基材をポケット部の袋上として活用する形態であるために、受取人側で、中に重要な納入明細書が入っていることを知らぬまま、捨ててしまうことも想定された。
【０００７】
本発明の課題は、知らぬ間に重要な同封物を捨ててしまうことがなく、作業性も良好な配送伝票を提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、印字用基材（１１）と、前記印字用基材（１１）の裏面に、略全面が剥離可能に貼り合わされた透明又は半透明のフィルム状基材（１２）と、前記フィルム状基材（１２）の裏面の少なくとも一部であって、周縁部の一部又は全部が貼り合わされ、配送物に貼付するための粘着剤層（１６）を有する貼付部（１４）と、前記フィルム状基材（１２）と前記貼付部（１４）との間に形成された袋形状のポケット部（１９）と、を備える配送伝票である。
請求項２の発明は、請求項１に記載の配送伝票において、前記フィルム状基材（１２）の裏面の少なくとも一部に貼り合わされ、前記貼付部（１４）との厚みを調整する厚み調整用シート（１８）を備えること、を特徴とする配送伝票である。
請求項３の発明は、請求項１又は請求項２に記載の配送伝票において、前記フィルム状基材（１２）は、合成樹脂フィルム、耐水シート、撥水シート、耐水耐油シートのうち、少なくとも１つを含むこと、を特徴とする配送伝票である。
請求項４の発明は、請求項１から請求項３までのいずれか１項に記載の配送伝票において、前記貼付部（１４）の非周縁部を貫通する切り込み（２０）を備え、その切り込み（２０）は、前記ポケット部（１９）の投入口となること、を特徴とする配送伝票である。
請求項５の発明は、請求項４に記載の配送伝票において、前記切り込み（２０）は、その両端が円形状であること、を特徴とする配送伝票である。
請求項６の発明は、請求項１から請求項５までのいずれか１項に記載の配送伝票において、前記印字用基材（１１）は、前記ポケット部（１９）に挿入する挿入片（１１ｄ）を備えること、を特徴とする配送伝票である。
請求項７の発明は、請求項１から請求項６までのいずれか１項に記載の配送伝票において、前記フィルム状基材（１２）は、所定の領域を囲むカット線（ｈｃ）を備え、そのカット線（ｈｃ）上の前記印字用基材（１１）を剥がすと、前記所定の領域が共に剥がれて、前記ポケット部（１９）の取出口（２１）が形成されること、を特徴とする配送伝票である。
請求項８の発明は、請求項１から請求項７までのいずれか１項に記載の配送伝票において、前記貼付部（１４）は、タック基材（１５）、粘着剤層（１６）及び剥離シート（１７）が順に積層されたタックシートであること、を特徴とする配送伝票である。
【発明の効果】
【０００９】
本発明によれば、透明又は半透明のフィルム状基材と貼付部との間にポケット部を形成したので、同封物が外観から確認でき、その存在に気付きやすく、知らぬ間に重要な同封物を捨ててしまうことがない。
また、印字用基材を剥がすと、カット線によって所定の領域が共に剥がれて、ポケット部の取出口が形成されるので、複雑な開封作業は不要となり、作業性も良好である。
【発明を実施するための最良の形態】
【００１０】
本発明は、知らぬ間に重要な同封物を捨ててしまうことがなく、作業性も良好な配送伝票を提供するという目的を、透明な合成樹脂フィルムとタック紙との間にポケット部を形成し、そのポケット部に払込票を挿入することにより実現する。
【実施例１】
【００１１】
以下、図面等を参照して、本発明の実施例について、さらに詳しく説明する。
図１は、本発明による配送伝票の実施例１を示す図である。
実施例１の配送伝票１０は、直送用一体化伝票であって、印字用基材１１と、フィルム状基材１２と、貼付部１４と、厚み調整用シート１８と、ポケット部１９などとを備える。
【００１２】
印字用基材１１は、印字が可能な基材であり、中央のやや左側に上端部から下端部までに設けられたミシン目ｍｃ１と、ミシン目ｍｃ１の中央のやや下側から右端部までに設けられたミシン目ｍｃ２とを備え、具体的には、連量：７０ｋｇ（８１．４ｇ／ｍ2）の上質紙が用いられている。
また、印字用基材１１は、ミシン目ｍｃ１の左側には、配達票１１ａ、貼付票１１ｂ及び開封部１１ｃを備え、ミシン目ｍｃ２の下側にはポケット部１９に挿入するための払込票（挿入片）１１ｄを備える。
【００１３】
フィルム状基材１２は、印字用基材１１の裏面に、払込票１１ｄ部分を除いた略全面が、剥離構造（接着剤１３ａ／剥離層１３ｂ）１３によって剥離可能に貼り合わされた基材であり、具体的には、厚み：２５μｍの透明な合成樹脂フィルム（ポリスチレンフィルムなど）が用いられている。
また、フィルム状基材１２は、印字用基材１１のミシン目ｍｃ１と重なる位置にスリットｓを備える。
【００１４】
貼付部１４は、スリットｓよりも左側のフィルム状基材１２の裏面に、糊ａによって周縁部の全部が貼り合わされ、タック基材１５、粘着剤層１６及び剥離紙（剥離シート）１７が順に積層されたタック紙（タックシート）であり、粘着剤層１６は、配送物に貼付するためのものである。
【００１５】
厚み調整用シート１８は、スリットｓよりも右側のフィルム状基材１２の裏面に、糊ａによって略全面が貼り合わされ、貼付部１４との厚みを調整する（揃える）シートであり、具体的には、連量：５５ｋｇ（６４．０ｇ／ｍ2）の上質紙が用いられている。
【００１６】
ポケット部１９は、フィルム状基材１２と貼付部１４との間に形成された袋形状の空間である。
【００１７】
次に、図２を参照しながら、実施例１の配送伝票１０についてさらに詳しく説明する。
図２は、実施例１による配送伝票１０の分解図である。なお、この図は、説明の便宜上、印字用基材１１及びフィルム状基材１２と、貼付部１４及び厚み調整用シート１８とを見開き状態にして示した図であり、図中の矢印Ａ、Ｂ、Ｃ、Ｄは、接着の対応箇所を示している。
【００１８】
貼付部１４は、上端部付近（非周縁部）に、カット刃によるスリット加工によって、貼付部１４全体を貫通する一条の切り込み２０が設けられており、その切り込み２０は、ポケット部１９の払込票投入口となる。
また、切り込み２０は、図２（Ａ）に示すように、その両端がファイル孔による止め加工によって、円形状のファイル孔仕上げとなっている。
【００１９】
フィルム状基材１２には、切り込み２０と重なる領域に、フィルム状基材１２側から印字用基材１１側に向けて、印字用基材１１を貫通しないようなハーフカット（カット線）ｈｃが設けられており、このハーフカットｈｃを設けるために、印字用基材１１には、見当合わせ用のトンボ（マーク）が設けられている。
【００２０】
次に、図１及び図３を参照しながら、実施例１による配送伝票１０の使用方法について説明する。
図３は、実施例１による配送伝票１０の使用方法を示す図である。
まず、図１に示すように、印字用基材１１の各部に、必要事項を印字し、ミシン目ｍｃ１よりも右側の部分を配送伝票１０から切り離す。
ついで、その右側の部分から払込票１１ｄを切り離して折り畳み、その折り畳んだ払込票１１ｄを、図３（Ａ）に示すように、貼付部１４の裏面の剥離紙１７に設けられた切り込み（払込票投入口）２０からポケット部１９に挿入する。
さらに、剥離紙１７を剥がして配送物に配送伝票１０を貼付し、この状態で、配送物は配送され、配送後には、配達票１１ａなどが配達人によって剥がされる。
【００２１】
そして、図３（Ｂ）に示すように、受取人には、貼付票１１ｂ及び開封部１１ｃ以外の各片が剥がされた状態で配送伝票１０が届く。
最後に、図３（Ｃ）に示すように、受取人が開封部１１ｃを剥がす（ハーフカットｈｃ上の印字用基材１１を剥がす）と、ハーフカットｈｃの内側の領域が共に剥がれて、ポケット部１９の払込票取出口２１が形成され、受取人は、払込票１１ｄを取り出して確認する。
【００２２】
このように、実施例１によれば、以下のような効果がある。
（１）透明なフィルム状基材１２と貼付部１４との間にポケット部１９を形成したので、挿入した払込票１１ｄが透視可能となって外観から確認でき、その存在に気付きやすく、知らぬ間に重要な払込票１１ｄを捨ててしまうことがない。
（２）１ｐｔ方式の配送伝票の構成中に、新たなポケット部１９を形成したため、ポケット部１９に払込票１１ｄを挿入してからラベリングするという、よりわかりやすい運用が可能である。
【００２３】
（３）粘着剤層１６は、配送物と全面で接着するので、接着面積を十分に確保でき、粗雑な荷扱いをされた場合であっても、配送伝票１０が脱落しない。
（４）フィルム状基材１２には、合成樹脂フィルムを用いているので、耐水性があり、湿潤環境下での使用にも耐えうる。
【００２４】
（５）貼付部１４との厚みを調整する厚み調整用シート１８を備えるので、配送伝票１０が全体として略均一な厚みとなり、プリンタでの印字適性に優れる。
（６）切り込み２０の両端は、円形状であるので、払込票１１ｄを挿入しやすく、また、挿入時の不用意な破れも防止できる。
【００２５】
（７）印字用基材１１は、ポケット部１９側以外の部分に払込票１１ｄを備えるので、ポケット部１９に挿入する払込票１１ｄと、配達票１１ａ及び貼付票１１ｂとのマッチングミスがない。
（８）印字用基材１１の開封部１１ｃを剥がすと、ハーフカットｈｃの内側の領域が共に剥がれて、ポケット部１９の払込票取出口２１が形成されるので、配送中に払込票１１ｄが脱落することを防止しつつ、確実に取り出せる形態となるので、作業性も良好である。
【実施例２】
【００２６】
図４は、本発明による配送伝票の実施例２を示す図である。
なお、前述した実施例１と同様な機能を果たす部分には、同一の符号又は末尾に統一した符号を付して、重複する説明や図面を適宜省略する。
実施例２の配送伝票１０Ａは、実施例１のものと比較して、各基材の材質が異なっている。
印字用基材１１は、あらかじめ２つに分かれており、左側の印字用基材１１−１には、連量：４５ｋｇ（５２．３ｇ／ｍ2）の上質紙が用いられ、右側の印字用基材１１−２には、実施例１と同様に、連量：７０ｋｇ（８１．４ｇ／ｍ2）の上質紙が用いられ、また、厚み調整用シート１８には、連量：４５ｋｇ（５２．３ｇ／ｍ2）の上質紙が用いられている。
【００２７】
また、印字用基材１１が２つに分かれているため、フィルム状基材１２には、実施例１のようなスリットｓではなく、ミシン目ｍｃ３が設けられている。
【００２８】
このように、実施例２によれば、各基材の最適化を図り、配送伝票１０Ａ自体の厚みが最小限となるような構成にしたので、実施例１と同等の機能及び効果に加え、プリンタの箱入目（最大積載量）を増加させることができ、プリンタ適性の向上が図れる。
【００２９】
また、各基材の材質を変えることによって、印字用基材１１−１と印字用基材１１−２、及び、貼付部１４と厚み調整用シート１８との間に、段差（矢印Ｅ）はあるものの、左右の総厚ｈが揃うように構成したので、大量の配送伝票１０Ａであっても、バランス良く積み重ねることができる。
【００３０】
（変形例）
以上説明した実施例に限定されることなく、種々の変形や変更が可能であって、それらも本発明の均等の範囲内である。
（１）フィルム状基材１２は、合成樹脂フィルムの例で説明したが、耐水紙、撥水紙、耐水耐油紙、グラシン紙などであってもよい。
（２）貼付部１４は、糊ａによって周縁部の全部を貼り合わせる例で説明したが、必要に応じて不連続に貼り合わせてもよい。
【図面の簡単な説明】
【００３１】
【図１】本発明による配送伝票の実施例１を示す図である。
【図２】実施例１による配送伝票１０の分解図である。
【図３】実施例１による配送伝票１０の使用方法を示す図である。
【図４】本発明による配送伝票の実施例２を示す図である。
【符号の説明】
【００３２】
１０、１０Ａ  配送伝票
１１、１１−１、１１−２  印字用基材
１１ａ  配達票
１１ｂ  貼付票
１１ｃ  開封部
１１ｄ  払込票（挿入片）
１２  フィルム状基材
１３  剥離構造
１３ａ  接着剤
１３ｂ  剥離層
１４  貼付部
１５  タック基材
１６  粘着剤層
１７  剥離紙（剥離シート）
１８  厚み調整用シート
１９  ポケット部
２０  切り込み
２１  払込票取出口
ａ  糊
ｈｃ  ハーフカット
ｍｃ１〜ｍｃ３  ミシン目
ｓ  スリット
【図１】
2006103164.tif 000003
【図２】
2006103164.tif 000004
【図３】
2006103164.tif 000005
【図４】
2006103164.tif 000006